(57)【要約】【課題】  トップガイド内の釣り糸挿通空間に着目して、より有効に釣糸が保有する水分を絞り取ることができる中通し竿用のトップガイドを提供する。【解決手段】  釣り糸挿通空間ｂの先端側に先端ガイドリング４ａを装着するとともに穂先竿１とに接続部位に臨む基端側に基端ガイドリング４ｂを設ける。釣り糸挿通空間ｂを形成したガイド本体４Ａの壁部に貫通孔４ｃを設ける。釣り糸挿通空間ｂに釣り糸ｃに接触作用して、釣り糸ｃが保有する水分を除去する鋼球６を収納してある。【選択図】        図１
2008263820.tif 000002
【特許請求の範囲】
【請求項１】
穂先竿に取り付けられたガイド本体に、前記穂先竿の竿先端開口に臨む基端側の開口と前記基端側の開口とは釣り糸挿通空間を挟んで反対側に位置する先端側の開口とを設け、前記釣り糸挿通空間内に釣り糸に接触可能な水切体を設けてある中通し竿用のトップガイド
【請求項２】
前記水切体が釣り糸と接触して回転する転がり体である請求項１記載の中通し竿用のトップガイド。
【請求項３】
前記釣り糸挿通空間を備えたガイド本体の先端開口部に、釣り糸を摺接案内する先端ガイドリングを設けてある請求項１又は２記載の中通し竿用のトップガイド。
【請求項４】
前記釣り糸挿通空間を囲む壁部に、前記釣り糸挿通空間と外部空間とを連通させる貫通孔を形成してある請求項１から３のうちのいずれか一つに記載の中通し竿用のトップガイド。
【発明の詳細な説明】
【技術分野】
【０００１】
穂先竿の竿先端に取り付けられ、釣り糸を繰出しまたは巻き上げ導入する中通し竿用のトップガイドに関する。
【背景技術】
【０００２】
トップガイドには、釣り糸挿通空間を備えたガイド本体の先端開口部に、釣り糸を導入する先端ガイドリングとともに、ガイド本体の穂先竿側に臨む基端開口部に基端ガイドリングを装着してあった（特許文献１参照）。
【０００３】
【特許文献１】実開平６−５２４４６号公報（段落番号〔００１３〕〔００１４〕、及び、図１）
【発明の開示】
【発明が解決しようとする課題】
【０００４】
上記構成においては、トップガイドに引き上げられた釣り糸は、先端ガイドリングに摺接してトップガイド内に導入されるとともに、トップガイド内に導入された釣り糸は、基端ガイドリングに摺接した状態で穂先竿の釣り糸挿通経路に導入される。
このような構成において、先端ガイドリング、及び、基端ガイドリングに摺接した状態で釣り糸に付着した水分はこすり取られてトップガイドの釣り糸挿通空間に供給され、貫通孔より排出されるものである。
しかし、トップガイドの釣り糸挿通空間内において釣り糸に接触するものは備えられていないので、釣り糸が保有する水分は、前端ガイドリング、及び、基端ガイドリングとの接触のみに基づいてこすり取られるだけであるために、釣り糸が水分を付着して穂先竿内に誘導される虞があった。
【０００５】
つまり、先端ガイドリング、及び、基端ガイドリングともに、トップガイドの先端開口部と基端開口部とに設置位置が限定されるので、設置位置でしか釣り糸との摺接ができず、かつ、釣り糸挿通経路の周縁部分を囲むドーナツ状のものであるので、リング内径が大きな先端ガイドリングと接触しない状態で釣り糸がトップガイド内に導入されることも考慮する必要があり、釣り糸が付着する水分を除去する点に改善の余地があった。
【０００６】
本発明の目的は、トップガイド内の釣り糸挿通空間に着目して、より有効に釣糸に付着する水分を除去することができる中通し竿用のトップガイドを提供する点にある。
【課題を解決するための手段】
【０００７】
〔構成〕
請求項１に係る発明の特徴構成は、穂先竿に取り付けられたガイド本体に、前記穂先竿の竿先端開口に臨む基端側の開口と前記基端側の開口とは釣り糸挿通空間を挟んで反対側に位置する先端側の開口とを設け、前記釣り糸挿通空間内に釣り糸に接触可能な水切体を設けてある点にあり、その作用効果は次の通りである。
【０００８】
〔作用〕
つまり、先端側の開口において水分の除去が十分に行われなくても、釣り糸挿通空間内において、水切体が釣り糸に接触することによって、釣り糸に付着した水分を除去することができるので、穂先竿内への水分の持ち込みが少なくなる。
【０００９】
〔効果〕
ガイド本体の釣り糸挿通空間においても、釣り糸に水切り作用を加えることができ、釣り糸から除去された水分を貯留排出するだけの機能を担っていた部位においても、釣り糸に対する水切り作用を加えることができ、空き空間における有効利用が可能になった。
水切体の設置位置がガイド本体の先端開口部、及び、基端開口部には限定されず、ガイド本体に形成された釣り糸挿通空間に設定できるので、水切体としてリング体に限定されず、形態選択の幅を広くできる。
【００１０】
請求項２に係る発明の特徴構成は、前記水切体が釣り糸と接触して回転する転がり体である点にあり、その作用効果は次の通りである。
【００１１】
〔作用効果〕
つまり、釣り糸に作用するものであっても固定のものではなく、転がるものであるので、釣り糸に対して過度の摺接抵抗を与えるものではなく、釣り糸の巻取り、釣り糸の繰り出し抵抗を抑えることができる。
【００１２】
請求項３に係る発明の特徴構成は、前記釣り糸挿通空間を備えたガイド本体の先端開口部に、釣り糸を摺接案内する先端ガイドリングを設けてある点にあり、その作用効果は次の通りである。
【００１３】
〔作用効果〕
水切体が作用する前段階で、釣り糸挿通空間に巻き上げられる釣り糸に絞り作用を加えることができるので、釣り糸挿通空間で水切体の接触作用を受けて排出される水分量を軽減でき、トップガイド内に滞留する水分による塩分残量とを少なくできる。
【００１４】
請求項４に係る発明の特徴構成は、前記釣り糸挿通空間を囲む壁部に、前記釣り糸挿通空間と外部空間とを連通させる貫通孔を形成してある点にあり、その作用効果は次の通りである。
【００１５】
〔作用効果〕
貫通孔を形成することによって、釣り糸挿通空間内に導入された水分等を迅速に貫通孔を通して排出できるので、水分が穂先竿内に持ち込まれることはなく、水分に含まれる塩分等が結晶化して、釣り糸の移動抵抗を増大させることを、未然に回避できる。
【発明を実施するための最良の形態】
【００１６】
〔第１実施形態〕
中通し竿Ａについて説明する。図１に示すように、中通し竿Ａは、トップガイド４を備えた穂先竿１と、中竿２、リールシート５を備えた元竿３とで、構成し、元竿３の竿先部分にリールＲから繰り出されてくる釣り糸ｃを元竿３から穂先竿１の内部に形成した釣り糸挿通経路ａ内に導入する釣り糸導入孔３Ａを備えて構成してある。
【００１７】
トップガイド４の構成について説明する。図２に示すように、トップガイド４は、先端側に向けて大径化するラッパ状を呈するガイド本体４Ａを設けるとともに、ガイド本体４Ａの先端開口部に先端ガイドリング４ａを装着し、ガイド本体４Ａの穂先竿側に臨む基端開口部に基端ガイドリング４ｂを装着し、ガイド本体４Ａを構成する壁部に、前記壁部に囲まれた釣り糸挿通空間ｂと外部空間とを連通させる孔径Ｄ３の貫通孔４ｃを形成して、構成してある。
【００１８】
図２に示すように、先端ガイドリング４ａ及び基端ガイドリング４ｂは、炭化水素等のセラミックを材料として円滑な表面加工を施したものであり、先端ガイドリング４ａの内径Ｄ１は後端ガイドリング４ｂの内径Ｄ２より大径に構成してある。このように、先端ガイドリング４ａの内径Ｄ１を後端ガイドリング４ｂの内径Ｄ２より大径に構成してあるので、先端ガイドリング４ａに摺接する釣り糸ｃは、急激に屈曲することはなく、緩やかに進行方向を変化させて、後端ガイドリング４ｂに摺接しながら、穂先竿１の釣り糸挿通経路ａ内に導入される。
したがって、釣り糸ｃの移動に対する摺接抵抗を低減できる構成となっている。
【００１９】
ガイド本体４Ａは、ステンレス、アルミ、チタン等の金属、或いは、軽量化を旨としてナイロン等のエンジニアリング樹脂を利用することが可能であり、これらの材料で成形したものにクロムメッキ等を施して仕上処理を施している。
【００２０】
図２に示すように、ガイド本体４Ａの穂先竿側に臨む基端部には装着用アダプター４Ｂが螺着されている。装着用アダプター４Ｂ後端部には嵌合開口部４ｄが形成されており、この嵌合開口部４ｄ内に穂先竿１の竿先端を装入することによって、穂先竿１を取り付け固定している。
装着用アダプター４ＢはＰＢＴ、ＰＥＴの熱可塑性樹脂を材料としたものである。
【００２１】
図２に示すように、トップガイド４のガイド本体４Ａの釣り糸挿通空間ｂ内には、水切体（転がり体）としての鋼球６が収納されている。鋼球６は、釣り糸挿通空間ｂ内に収納されているだけで、ガイド本体４Ａの壁部に支持された状態でその壁部の内周面上を自由に転動することができるようになっている。
【００２２】
図２に示すように、鋼球６は、ステンレス又は鋼鉄、合金等の材料で構成され、表面にクロムメッキ等が施されて、表面の円滑性と耐久性とが付与されている。鋼球６の直径Ｄは、先端ガイドリング４ａの内径Ｄ１、後端ガイドリング４ｂの内径Ｄ２、貫通孔４ｃの孔径Ｄ３より大径に設定してあり、釣り糸挿通空間ｂ内に保持できるようになっている。
ただし、鋼球６を釣り糸挿通空間ｂ内に収納するには、先端ガイドリング４ａを装着する前に、鋼球６を釣り糸挿通空間ｂに装入し、その後、先端ガイドリング４ａを装着する。
【００２３】
上記したように、鋼球６が釣り糸挿通空間ｂ内に保持されているので、釣り糸挿通空間ｂを通過する釣り糸ｃに対して、図２に示すように、釣り糸ｃが鋼球６によって直線経路から外れて迂回する状態になり、これによって、鋼球６による水切り作用を受ける。したがって、釣り糸ｃは付着する水分が除去されて、穂先竿１等での釣り糸挿通経路ａでの釣り糸の付着現象等を軽減できる。
釣り糸ｃから除去された水分は貫通孔４ｃより排出される。
【００２４】
次ぎに、トップガイド４を接続した穂先竿１から中竿２、元竿３までの釣り糸挿通経路ａにおける構成について説明する。穂先竿１等の内部空間には、図４に示すように、リング体７が所定間隔をもって設置されている。リング体７は、セラミック製等の硬質リングであり、一部を穂先竿１等の肉厚内に埋め込まれた状態で設けられており、リング体７の内側リング周面７ａが釣り糸挿通経路ａ内に突出している。
【００２５】
以上のような構成によって、リング体７の内側リング周面７ａで穂先竿１等の内周面１Ａから釣り糸ｃを持上げ保持でき、釣り糸ｃが連続して穂先竿１等の内周面１Ａに接触することを阻止できる。
【００２６】
このように、リング体７を設けて釣り糸ｃを穂先竿１等の内周面１Ａから持上げ保持することとしたのは、次ぎのような理由による為である。つまり、釣り糸ｃが穂先竿１等の内周面１Ａと接触すると、それによって移動抵抗が作用する。移動抵抗が大きくなると、釣り糸ｃの巻上げ時の巻き上げ負荷が大きくなり、釣り糸ｃを繰り出す場合には、十分にかつ迅速に仕掛けを所望の棚位置まで降ろせない、といった不都合が考えられる。
特に、穂先竿１等の内周面１Ａに水分が付着していると、その水分を媒介として釣り糸ｃが内周面１Ａに付着しやすい。そして、その場合には、水分のない場合に比べて釣り糸ｃに作用する移動抵抗が大きくなり易い傾向にある。
【００２７】
以上のような知見に基づいて、上記したようなリング体７を設けたものであり、釣り糸ｃが連続して穂先竿１等の内周面１Ａに接触することを阻止でき、かつ、水分は隣接するリング体７，７の間の空間に保持されるので、釣り糸ｃが直接水分に接触する機会が少なくなるので、釣り糸ｃに対する移動抵抗を抑制することができる。
【００２８】
リング体７としては、図５に示すように、内側リング周面７ａ部分に硬質リング７ｂを設け、硬質リング７ｂを支持する本体部分７ｃは、アルミ等の軽量金属、又は、硬質樹脂等で構成してもよい。
【００２９】
〔第２実施形態〕
水切体６の構成としては、次ぎのようなものでよい。図３（イ）（ロ）に示すように、水切体６の形状としては、球状、又は、紡錘型の形状に構成し、トップガイド４の左右側壁４Ｃ、４Ｃに支持軸６ａで軸支する構成を採ることができる。
このような構成によって、釣り糸ｃが転がり体６の周面に接触することによって、自己が付着する水分が除去されることとなる。
【００３０】
〔別実施形態〕
（１）  トップガイド４の釣り糸挿通空間ｂに設ける水切体６としては、図３において、支持軸６ａ回りで回転しない固定の鋼球等であってもよい。また、穂先竿１等の釣り糸挿通経路ａに設けたリング体を、釣り糸挿通空間ｂでも使用するように、トップガイド４の内周面より立ち上げて水切体６としてもよい。また、水切体６としては、立体的なものではなく、例えば、植毛等をトップガイド４の内周面より立ち上げて水切体６としてもよい。
（２）  トップガイド４に先端ガイドリング４ａ及び基端ガイドリング４ｂを設けてあるが、基端ガイドリング４ｂについては、設けてなくてもよい。
（３）  トップガイド４において、貫通孔４ｃとしては、円周方向２箇所に設ける形態について図示してあるが、ガイド本体４Ａの強度との兼ね合いで、設置個数を設定すればよく、貫通孔４ｃを設けない選択も可能である。
（４）穂先竿１、中竿２、元竿３の釣り糸挿通経路ａに設けるものとしては、図６に示すように、穂先竿１等の内周面１Ａを凹凸面に形成し、リング体に相当する凸面部分を竿体と一体形成してもよい。また、図示してはいないが、凹凸面を形成することなく、内周面１Ａに撥水性のある滑り剤層を形成してもよい。
【図面の簡単な説明】
【００３１】
【図１】中通し竿を示す側面図
【図２】トップガイドを示す縦断側面図
【図３】（イ）トップガイドの釣り糸挿通空間内に設ける水切体の別実施構造を示す縦断正面図、（ロ）トップガイドの釣り糸挿通空間内に設ける水切体の別実施構造を示す縦断側面図
【図４】穂先竿等の釣り糸挿通経路に、釣り糸を支持するリング体を設けてある状態を示す縦断側面図
【図５】図４のリング体の内周面に硬質リングを設けてある状態を示す縦断側面図
【図６】穂先竿等の内周面を凹凸面として形成する別実施構造を示す縦断側面図
【符号の説明】
【００３２】
１            穂先竿
４Ａ          ガイド本体
４ａ          先端ガイドリング
４ｃ          貫通孔
６            鋼球（転がり体）（水切体）
ｂ            釣り糸挿通空間
ｃ            釣り糸
【図１】
2008263820.tif 000003
【図２】
2008263820.tif 000004
【図３】
2008263820.tif 000005
【図４】
2008263820.tif 000006
【図５】
2008263820.tif 000007
【図６】
2008263820.tif 000008